(57)【要約】  基地局は、システムフレーム番号（ＳＦＮ）が最大値に達した後に最初の値に戻った時に１をインクリメントする拡張システムフレーム番号を含むシステム情報ブロック（ＳＩＢ）をユーザ端末にブロードキャストする処理を実行する制御部を備える。前記拡張システムフレーム番号は、前記システム情報ブロックを受信したユーザ端末が、アイドル状態において、拡張ＤＲＸ（ｅＤＲＸ）によりページングを監視するタイミングを含むページングフレームを特定するために用いられる。
2016140271.tif 000002
【特許請求の範囲】
【請求項１】
システムフレーム番号（ＳＦＮ）が最大値に達した後に最初の値に戻った時に１をインクリメントする拡張システムフレーム番号を含むシステム情報ブロック（ＳＩＢ）をユーザ端末にブロードキャストする処理を実行する制御部を備え、
前記拡張システムフレーム番号は、前記システム情報ブロックを受信したユーザ端末が、アイドル状態において、拡張ＤＲＸ（ｅＤＲＸ）によりページングを監視するタイミングを含むページングフレームを特定するために用いられることを特徴とする基地局。
【請求項２】
ページングを基地局に対して送信する処理を実行する制御部を備え、
前記ページングは、拡張ＤＲＸが設定されたユーザ端末が前記基地局から送信されたページングを監視するタイミング  を示す拡張ＤＲＸページングサイクルを含み、
前記拡張ＤＲＸページングサイクルは、前記ユーザ端末にも通知されることを特徴とするノード。
【請求項３】
上位ノードからページングを受信する処理を実行する制御部を備え、
前記ページングは、拡張ＤＲＸが設定されたユーザ端末が基地局から送信されたページングを監視するタイミングを示す拡張ＤＲＸページングサイクルを含み、
前記拡張ＤＲＸページングサイクルは、前記ユーザ端末にも通知され、
前記制御部は、前記拡張ＤＲＸページングサイクルに基づいて、前記ユーザ端末に対してページングを送信することを特徴とする基地局。
【請求項４】
基地局であって、
システムフレーム番号とＤＲＸサイクルとに基づいて、無線端末宛てのページングメッセージを通知するためのページングフレームを決定する制御部を備え、
前記システムフレーム番号は、無線フレームが経過する度にカウントアップされ、かつ所定値でゼロにリセットされており、
前記制御部は、前記システムフレーム番号が前記所定値に達した回数を示す値を管理し、
前記制御部は、前記回数を示す値にさらに基づいて、前記ページングフレームを決定する基地局。
【請求項５】
前記制御部は、前記回数を示す値と前記システムフレーム番号とによって規定される拡張システムフレーム番号と前記ＤＲＸサイクルとに基づいて、前記ページングフレームを決定する請求項４に記載の基地局。
【請求項６】
前記回数を示す値をブロードキャストで無線端末に送信する送信部をさらに備える請求項４に記載の基地局。
【請求項７】
上位ノードから無線端末に通知された前記ＤＲＸサイクルの設定に関する設定情報と、前記無線端末を示す識別子とを前記上位ノードから受信する受信部をさらに備え、
前記設定情報は、前記回数を示す値を含み、
前記制御部は、前記上位ノードから受信した前記回数を示す値に基づいて、前記無線端末宛てのページングメッセージを通知するためのページングフレームを決定する請求項４に記載の基地局。
【請求項８】
無線端末が管理する前記回数を示す値を確認するためのチェック要求を前記無線端末から受信する受信部と、
前記無線端末が前記回数を示す値を確認するための応答を前記無線端末に送信する送信部と、をさらに備える請求項４に記載の基地局。
【請求項９】
無線端末であって、
システムフレーム番号とＤＲＸサイクルとに基づいて、ページングフレームを決定する制御部を備え、
前記システムフレーム番号は、無線フレームが経過する度にカウントアップされ、かつ所定値でゼロにリセットされており、
前記制御部は、前記システムフレーム番号が前記所定値に達した回数を示す値を管理し、
前記制御部は、前記回数を示す値にさらに基づいて、前記ページングフレームを決定する無線端末。
【請求項１０】
前記制御部は、前記回数を示す値と前記システムフレーム番号とによって規定される拡張システムフレーム番号と前記ＤＲＸサイクルとに基づいて、前記ページングフレームを決定する請求項９に記載の無線端末。
【請求項１１】
前記回数を示す値をブロードキャストで基地局から受信する受信部をさらに備える請求項９に記載の無線端末。
【請求項１２】
前記ＤＲＸサイクルの設定に関する設定情報をＮＡＳメッセージによって上位ノードから受信する受信部をさらに備え、
前記設定情報は、前記回数を示す値を含む請求項９に記載の無線端末。
【請求項１３】
前記無線端末が管理する前記回数を示す値を確認するためのチェック要求を基地局に送信する送信部と、
前記無線端末が前記回数を示す値を確認するための応答を前記基地局から受信する受信部と、をさらに備える請求項９に記載の無線端末。
【請求項１４】
所定トラッキングエリアに属するセルを管理する基地局よりも上位ノードであるネットワーク装置であって、
システムフレーム番号とＤＲＸサイクルとに基づいてページングフレームを決定する制御部を備え、
前記システムフレーム番号は、無線フレームが経過する度にカウントアップされ、かつ所定値でゼロにリセットされており、
前記制御部は、前記ＤＲＸサイクルの設定に関する設定情報を、前記セルに在圏する無線端末に通知し、
前記設定情報は、前記システムフレーム番号が前記所定値に達した回数を示す値を含み、
前記制御部は、前記設定情報と前記無線端末を示す識別子とを、前記基地局に通知するネットワーク装置。
【発明の詳細な説明】
【技術分野】
【０００１】
本発明は、移動通信システムにおける基地局、無線端末、及びネットワーク装置に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、無線端末の消費電力を削減するための間欠受信技術として、非連続受信（ＤＲＸ）が規定されている。ＤＲＸ動作を実行している無線端末は、下りリンク制御チャネルを間欠的に監視する。下りリンク制御チャネルを監視する周期は「ＤＲＸサイクル」と称される。【０００３】
無線端末及び基地局は、監視される下りリンク制御チャネルを含み得るページングフレーム（ＰＦ）をシステムフレーム番号（ＳＦＮ）とＤＲＸサイクルとに基づいて決定する。基地局は、決定されたページングフレームにおいて、無線端末宛てのページングメッセージを通知するための下りリンク制御チャネルを送信し、無線端末は、ページングフレームにおいて下りリンク制御チャネルを監視する。【０００４】
近年、移動通信システムにおいて人が介在することなく無線端末が通信を行うマシンタイプコミュニケーション（ＭＴＣ）が注目されている。このような背景から、既存のＤＲＸサイクルよりも長い拡張ＤＲＸ（ｅｘｔｅｎｄｅｄ  ＤＲＸ）サイクルを新たに導入し、更なる消費電力の削減を図ることが検討されている（例えば、非特許文献１参照）。拡張ＤＲＸサイクルを使用するＤＲＸは拡張ＤＲＸと称される。
【先行技術文献】
【非特許文献】
【０００５】
【非特許文献１】３ＧＰＰ寄書「ＲＰ−１４１９９４」
【発明の概要】
【０００６】
第１の特徴に係る基地局は、システムフレーム番号とＤＲＸサイクルとに基づいて、無線端末宛てのページングメッセージを通知するためのページングフレームを決定する制御部を備える。前記システムフレーム番号は、無線フレームが経過する度にカウントアップされ、かつ所定値でゼロにリセットされている。前記制御部は、前記システムフレーム番号が前記所定値に達した回数を示す値を管理する。前記制御部は、前記回数を示す値にさらに基づいて、前記ページングフレームを決定する。
【０００７】
第２の特徴に係る無線端末は、システムフレーム番号とＤＲＸサイクルとに基づいて、ページングフレームを決定する制御部を備える。前記システムフレーム番号は、無線フレームが経過する度にカウントアップされ、かつ所定値でゼロにリセットされている。前記制御部は、前記システムフレーム番号が前記所定値に達した回数を示す値を管理する。前記制御部は、前記回数を示す値にさらに基づいて、前記ページングフレームを決定する。
【０００８】
第３の特徴に係るネットワーク装置は、所定トラッキングエリアに属するセルを管理する基地局よりも上位ノードである。前記ネットワーク装置は、システムフレーム番号とＤＲＸサイクルとに基づいてページングフレームを決定する制御部を備える。前記システムフレーム番号は、無線フレームが経過する度にカウントアップされ、かつ所定値でゼロにリセットされている。前記制御部は、前記ＤＲＸサイクルの設定に関する設定情報を、前記セルに在圏する無線端末に通知する制御部を備える。前記設定情報は、前記システムフレーム番号が前記所定値に達した回数を示す値を含む。前記制御部は、前記設定情報と前記無線端末を示す識別子とを、前記基地局に通知する。
【０００９】
第４の特徴に係る基地局は、システムフレーム番号（ＳＦＮ）が最大値に達した後に最初の値に戻った時に１をインクリメントする拡張システムフレーム番号を含むシステム情報ブロック（ＳＩＢ）をユーザ端末にブロードキャストする処理を実行する制御部を備える。前記拡張システムフレーム番号は、前記システム情報ブロックを受信したユーザ端末が、アイドル状態において、拡張ＤＲＸ（ｅＤＲＸ）によりページングを監視するタイミングを含むページングフレームを特定するために用いられる。
【００１０】
第５の特徴に係るノードは、ページングを基地局に対して送信する処理を実行する制御部を備える。前記ページングは、拡張ＤＲＸが設定されたユーザ端末が前記基地局から送信されたページングを監視するタイミングを示す拡張ＤＲＸページングサイクルを含む。前記拡張ＤＲＸページングサイクルは、前記ユーザ端末にも通知される。
【００１１】
第６の特徴に係る基地局は、上位ノードからページングを受信する処理を実行する制御部を備える。前記ページングは、拡張ＤＲＸが設定されたユーザ端末が基地局から送信されたページングを監視するタイミングを示す拡張ＤＲＸページングサイクルを含む。前記拡張ＤＲＸページングサイクルは、前記ユーザ端末にも通知される。前記制御部は、前記拡張ＤＲＸページングサイクルに基づいて、前記ユーザ端末に対してページングを送信する。
【図面の簡単な説明】
【００１２】
【図１】図１は、ＬＴＥシステムの構成図である。
【図２】図２は、ＵＥのブロック図である。
【図３】図３は、ｅＮＢのブロック図である。
【図４】図４は、ＭＭＥのブロック図である。
【図５】図５は、プロトコルスタック図である。
【図６】図６は、無線フレームの構成図である。
【図７】図７は、第１実施形態に係る動作を説明するためのシーケンス図である。
【図８】図８は、拡張ＤＲＸ設定に関する設定情報の一例を説明するための図である。
【図９】図９は、第２実施形態に係る動作を説明するためのシーケンス図である。
【発明を実施するための形態】
【００１３】
［実施形態の概要］
現状の仕様では、システムフレーム番号の最大値が規定されている。従って、システムフレーム番号の最大値を越えた拡張ＤＲＸサイクルが導入された場合、当該拡張ＤＲＸサイクルに基づいてページングフレームを適切に決定できない虞がある。
【００１４】
そこで、実施形態は、既存のシステムフレーム番号の最大値を超えた拡張ＤＲＸサイクルが規定された場合に、ページングフレームを適切に決定可能な基地局、無線端末、及びネットワーク装置を提供する。
【００１５】
第１及び第２実施形態に係る基地局は、システムフレーム番号とＤＲＸサイクルとに基づいて、無線端末宛てのページングメッセージを通知するためのページングフレームを決定する制御部を備える。前記システムフレーム番号は、無線フレームが経過する度にカウントアップされ、かつ所定値でゼロにリセットされている。前記制御部は、前記システムフレーム番号が前記所定値に達した回数を示す値を管理する。前記制御部は、前記回数を示す値にさらに基づいて、前記ページングフレームを決定する。
【００１６】
第１及び第２実施形態において、前記制御部は、前記回数を示す値と前記システムフレーム番号とによって規定される拡張システムフレーム番号と前記ＤＲＸサイクルとに基づいて、前記ページングフレームを決定する。
【００１７】
第１実施形態に係る基地局は、前記回数を示す値をブロードキャストで無線端末に送信する送信部をさらに備えることを特徴とする。
【００１８】
第２実施形態に係る基地局は、上位ノードから無線端末に通知された前記ＤＲＸサイクルの設定に関する設定情報と、前記無線端末を示す識別子とを前記上位ノードから受信する受信部をさらに備える。前記設定情報は、前記回数を示す値を含む。前記制御部は、前記上位ノードから受信した前記回数を示す値に基づいて、前記無線端末宛てのページングメッセージを通知するためのページングフレームを決定する。
【００１９】
その他実施形態に係る基地局は、無線端末が管理する前記回数を示す値を確認するためのチェック要求を前記無線端末から受信する受信部と、前記無線端末が前記回数を示す値を確認するための応答を前記無線端末に送信する送信部と、をさらに備える。
【００２０】
第１及び第２実施形態に係る無線端末は、システムフレーム番号とＤＲＸサイクルとに基づいて、ページングフレームを決定する制御部を備える。前記システムフレーム番号は、無線フレームが経過する度にカウントアップされ、かつ所定値でゼロにリセットされている。前記制御部は、前記システムフレーム番号が前記所定値に達した回数を示す値を管理する。前記制御部は、前記回数を示す値にさらに基づいて、前記ページングフレームを決定する。
【００２１】
第１及び第２実施形態において、前記制御部は、前記回数を示す値と前記システムフレーム番号とによって規定される拡張システムフレーム番号と前記ＤＲＸサイクルとに基づいて、前記ページングフレームを決定する。
【００２２】
第１実施形態に係る無線端末は、前記回数を示す値をブロードキャストで基地局から受信する受信部をさらに備える。
【００２３】
第２実施形態に係る無線端末は、前記ＤＲＸサイクルの設定に関する設定情報をＮＡＳメッセージによって上位ノードから受信する受信部をさらに備える。前記設定情報は、前記回数を示す値を含む。
【００２４】
その他実施形態に係る無線端末は、前記無線端末が管理する前記回数を示す値を確認するためのチェック要求を基地局に送信する送信部と、前記無線端末が前記回数を示す値を確認するための応答を前記基地局から受信する受信部と、をさらに備える。
【００２５】
第２実施形態に係るネットワーク装置は、所定トラッキングエリアに属するセルを管理する基地局よりも上位ノードである。前記ネットワーク装置は、システムフレーム番号とＤＲＸサイクルとに基づいてページングフレームを決定する制御部を備える。前記システムフレーム番号は、無線フレームが経過する度にカウントアップされ、かつ所定値でゼロにリセットされている。前記制御部は、前記ＤＲＸサイクルの設定に関する設定情報を、前記セルに在圏する無線端末に通知する。前記設定情報は、前記システムフレーム番号が前記所定値に達した回数を示す値を含む。前記制御部は、前記設定情報と前記無線端末を示す識別子とを、前記基地局に通知する。
【００２６】
［第１実施形態］
以下において、本発明をＬＴＥシステムに適用する場合の実施形態を説明する。
【００２７】
（システム構成）
図１は、ＬＴＥシステムの構成図である。図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２８】
ＵＥ１００は、無線端末に相当する。ＵＥ１００は、移動型の通信装置であり、接続先のセル（サービングセル）との無線通信を行う。ＵＥ１００の構成については後述する。
【００２９】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３０】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３１】
ＥＰＣ２０は、コアネットワークに相当する。Ｅ−ＵＴＲＡＮ１０及びＥＰＣ２０によりＬＴＥシステムのネットワーク（ＬＴＥネットワーク）が構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ（Ｏｐｅｒａｔｉｏｎ  ａｎｄ  Ｍａｉｎｔｅｎａｎｃｅ）４００とを含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００３２】
ＯＡＭ４００は、オペレータによって管理されるサーバ装置であり、Ｅ−ＵＴＲＡＮ１０の保守及び監視を行う。
【００３３】
図２は、ＵＥ１００のブロック図である。図２に示すように、ＵＥ１００は、アンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０は記憶部に相当し、プロセッサ１６０は制御部に相当する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３４】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００３５】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３６】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３７】
図３は、ｅＮＢ２００のブロック図である。図３に示すように、ｅＮＢ２００は、アンテナ２０１、無線送受信機２１０、ネットワークインターフェイス２２０、メモリ２３０、及びプロセッサ２４０を備える。なお、メモリ２３０をプロセッサ２４０と一体化し、このセット（すなわち、チップセット）をプロセッサ２４０’としてもよい。
【００３８】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００３９】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４０】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４１】
図４は、ＭＭＥ３００のブロック図である。図４に示すように、ＭＭＥ３００は、ネットワークインターフェイス３２０、メモリ３３０、及びプロセッサ３４０を備える。なお、メモリ３３０をプロセッサ３４０と一体化し、このセット（すなわち、チップセット）をプロセッサとしてもよい。
【００４２】
ネットワークインターフェイス３２０は、Ｓ１インターフェイスを介してｅＮＢ２００と接続される。ネットワークインターフェイス３２０は、Ｓ１インターフェイス上で行う通信に用いられる。
【００４３】
メモリ３３０は、プロセッサ３４０により実行されるプログラム、及びプロセッサ３４０による処理に使用される情報を記憶する。プロセッサ３４０は、ベースバンド信号の変調・復調及び符号化・復号などを行うベースバンドプロセッサと、メモリ３３０に記憶されるプログラムを実行して各種の処理を行うＣＰＵと、を含む。プロセッサ３４０は、後述する各種の処理及び各種の通信プロトコルを実行する。
【００４４】
図５は、ＬＴＥシステムにおける無線インターフェイスのプロトコルスタック図である。図５に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４５】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００４６】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）、ＵＥ１００への割当リソースブロックを決定（スケジューリング）するケジューラを含む。
【００４７】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４８】
ＰＤＣＰ層は、ヘッダ圧縮・伸張、及び暗号化・復号化を行う。
【００４９】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモード（コネクティッドモード）であり、そうでない場合、ＵＥ１００はＲＲＣアイドルモード（アイドルモード）である。
【００５０】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００５１】
図６は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５２】
図６に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。ＵＥ１００に割り当てられる無線リソースのうち、周波数リソースはリソースブロックにより構成され、時間リソースはサブフレーム（又はスロット）により構成される。
【００５３】
（アイドルモードにおけるＤＲＸ動作の概要）
以下において、ＲＲＣアイドルモードにおけるＤＲＸ（ＤＲＸ：  Ｄｉｓｃｏｎｔｉｎｕｏｕｓ  Ｒｅｃｅｐｔｉｏｎ）動作について説明する。
【００５４】
ＵＥ１００は、バッテリを節約するために、ＤＲＸ動作を行うことが可能である。ＤＲＸ動作を行うＵＥ１００は、ＰＤＣＣＨを間欠的に監視する。通常、サブフレーム中のＰＤＣＣＨは、当該サブフレーム中のＰＤＳＣＨのスケジューリング情報（無線リソース及びトランスポートフォーマットの情報）を運搬する。
【００５５】
ＲＲＣアイドルモードであるＵＥ１００は、着信があることを通知するページングメッセージを受信するためにＰＤＣＣＨを間欠的に監視するＤＲＸ動作を行う。ＵＥ１００は、ページング用のグループ識別子（Ｐ−ＲＮＴＩ）を用いて、ＰＤＣＣＨ（ＣＣＥ）をデコードして、ページングチャネルの割り当て情報（ＰＩ）を取得する。ＵＥ１００は、当該割当情報に基づいて、ページングメッセージを取得する。ＵＥ１００におけるＰＤＣＣＨ監視タイミングは、ＵＥ１００の識別子（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）に基づいて定められる。ＰＤＣＣＨ監視タイミングの算出について具体的に説明する。
【００５６】
ＲＲＣアイドルモードのＤＲＸ動作におけるＰＤＣＣＨ監視タイミング（ＰＤＣＣＨ監視サブフレーム）は、Ｐａｇｉｎｇ  Ｏｃｃａｓｉｏｎ（ＰＯ）と称される。
【００５７】
ＵＥ１００（及びｅＮＢ２００）は、Ｐａｇｉｎｇ  Ｏｃｃａｓｉｏｎ（ＰＯ）、及び、Ｐａｇｉｎｇ  Ｏｃｃａｓｉｏｎを含みうる無線フレームであるＰａｇｉｎｇ  Ｆｒａｍｅ（ＰＦ）を下記のように計算する。
【００５８】
ＰＦのシステムフレーム番号（ＳＦＮ）は、下記の式（１）から求められる。
【００５９】
ＳＦＮ  ｍｏｄ  Ｔ＝  （Ｔ  ｄｉｖ  Ｎ）  ＊  （ＵＥ＿ＩＤ  ｍｏｄ  Ｎ）        …（１）
【００６０】
ここで、Ｔは、ページングメッセージを受信するためのＵＥ１００のＤＲＸサイクルであり、無線フレームの数で表される。Ｎは、ＴとｎＢのうち最小値である。ｎＢは、４Ｔ，  ２Ｔ，  Ｔ，  Ｔ／２，  Ｔ／４，  Ｔ／８，  Ｔ／１６，  Ｔ／３２から選択される値である。ＵＥ＿ＩＤは、「ＩＭＳＩ  ｍｏｄ  １０２４」により求められる値である。
【００６１】
このようにして求められたＰＦのうち、ＰＯのサブフレーム番号は、下記のように求められる。まず、下記の式（２）により、インデックスｉ＿ｓを求める。
【００６２】
ｉ＿ｓ  ＝  ｆｌｏｏｒ（ＵＥ＿ＩＤ／Ｎ）  ｍｏｄ  Ｎｓ        …（２）
【００６３】
ここで、Ｎｓは、１とｎＢ／Ｔのうち最大値である。
【００６４】
次に、表１または表２からＮｓ及びインデックスｉ＿ｓに対応するＰＯを求める。表１はＬＴＥ  ＦＤＤシステムに適用され、表２はＬＴＥ  ＴＤＤシステムに適用される。表１および表２において、Ｎ／Ａは非適用を表す。
【００６５】
【表１】
2016140271.tif 000003
【００６６】
【表２】
2016140271.tif 000004
【００６７】
このように、ＵＥ１００は、ＳＦＮとＤＲＸサイクルとに基づいてページングフレームを決定する。なお、ｅＮＢ２００も同様にページングフレームを決定し、決定されたページングフレームにおいて、ページングメッセージを通知するためのＰＤＣＣＨを送信する。
【００６８】
（拡張システムフレーム番号の概要）
次に、拡張システムフレーム番号の概要について説明する。
【００６９】
ページングフレーム（ＰＦ）のシステムフレーム番号（ＳＦＮ）は、上述の式（１）の通り、「ＳＦＮ  ｍｏｄ  Ｔ＝  （Ｔ  ｄｉｖ  Ｎ）  ＊  （ＵＥ＿ＩＤ  ｍｏｄ  Ｎ）」によって決定される。少なくとも３ＧＰＰのリリース１２以前において、ＳＦＮの範囲は、０、１、２、…、１０２３である。このため、ＳＦＮの最大値は、１０２３であり、無線フレームの最大値（最大時間）は、１０２４（１０．２４秒）である。また、既存のＤＲＸサイクル（Ｔ）では、「ＳＦＮ  ＞  Ｔ」を満たす。従って、式（１）の左辺は、「ＳＦＮ  ｍｏｄ  Ｔ」であるため、全てのＳＦＮは、０、１、２、…、Ｔ−１のいずれかの値にマッピングされる。
【００７０】
一方、既存のＤＲＸサイクルよりも長く、既存のＳＦＮの最大値を越えた拡張ＤＲＸサイクル（Ｔ）が導入された場合、「ＳＦＮ  ＜  Ｔ」となり得る。「ＳＦＮ  ＜  Ｔ」の場合、式（１）の左辺は、「ＳＦＮの最大値」にしかならない。例えば、拡張ＤＲＸサイクル（Ｔ）が３０００［ＳＦＮ］である場合、「１０２３  ｍｏｄ  （３０００）  ＝  １０２３」となる。従って、「ＳＦＮ  ＜  Ｔ」の場合、ＳＦＮが適切にマッピングされず、ＵＥ１００及びｅＮＢ２００は、拡張ＤＲＸサイクルに基づいてページングフレームを適切に決定できない虞がある。
【００７１】
そこで、以下に示すように、無線フレームヘッダ（ｒａｄｉｏＦｒａｍｅＨｅａｄｅｒ）を導入し、既存のＳＦＮよりも大きい値を取り得る拡張システムフレーム番号（拡張ＳＦＮ）を規定する。
【００７２】
ＳＦＮは、無線フレームが経過する度にカウントアップされ、且つ所定値（最大値を越えた値）でゼロにリセットされる。新たに導入する無線フレームヘッダは、システムフレーム番号が所定値に達した回数を示す値である。従って、ＳＦＮが最大値に達した後に最初に戻った（いわゆる、「ラップアラウンド（Ｗｒａｐ  ａｒｏｕｎｄ）」が実行された）場合、無線フレームヘッダは、「１」増加する（「１」インクリメントされる）。
【００７３】
以下に示すように、無線フレームヘッダとＳＦＮとを組み合わせが、拡張システムフレーム番号（ｅｎｈａｎｃｅｄ  ＳＦＮ）として解釈される。
【００７４】
【表３】
2016140271.tif 000005
【００７５】
無線フレームヘッダは、「０、１、２、・・・」の値をとり、所定値（最大値を越えた値）でゼロにリセットされる。無線フレームヘッダの最大値は、例えば、８４３７である。この場合の拡張ＳＦＮの最大値は、８４３８（ｒａｄｉｏＦｒａｍｅＨｅａｄｅｒ）×１０２４（ＳＦＮ）＝８６４０５１２であり、約２４時間（８６４００００）に相当する。
【００７６】
（第１実施形態に係る動作）
次に、第１実施形態に係る動作について、図７及び図８を用いて説明する。図７は、第１実施形態に係る動作を説明するためのシーケンス図である。図８は、拡張ＤＲＸ設定に関する設定情報の一例を説明するための図である。
【００７７】
ＵＥ１００は、ｅＮＢ２００が管理するセルに在圏している。ＵＥ１００は、アイドルモードである。或いは、ＵＥ１００は、コネクティッドモードであってもよい。
【００７８】
図７に示すように、ステップＳ１１０において、ｅＮＢ２００は、無線フレームヘッダ（ｒａｄｉｏＦｒａｍｅＨｅａｄｅｒ）をＵＥ１００に送信する。具体的には、ｅＮＢ２００は、自局において管理している無線フレームヘッダをＵＥ１００に送信する。ｅＮＢ２００は、自局のＵＥ１００に共通の無線フレームヘッダを管理している。或いは、ｅＮＢ２００は、ＵＥ１００毎に無線フレームヘッダを管理していてもよい。ＵＥ１００に送信される無線フレームヘッダの値は、ｅＮＢ２００が管理している現在の値を示す。
【００７９】
ｅＮＢ２００は、無線フレームヘッダをＵＥ１００に送信する。具体的には、ｅＮＢ２００は、ＲＲＣメッセージ（例えば、ＲＲＣＣｏｎｎｅｃｔｉｏｎＲｅｃｏｎｆｉｇｕｒａｔｉｏｎ）によってユニキャストで送信する。或いは、ｅＮＢ２００は、マスタ情報ブロック（ＭＩＢ）又はシステム情報ブロック（ＳＩＢ）によってブロードキャストで送信してもよい。これにより、ＵＥ１００は、無線フレームヘッダを周期的に受信し得るので、ｅＮＢ２００との間で無線フレームヘッダの値がずれたままになることを低減できる。なお、ｅＮＢ２００は、ＵＥ１００からの要求に応じて、無線フレームヘッダをＵＥ１００に個別に送信してもよい。例えば、ＵＥ１００は、ＵＥ  Ａｓｓｉｓｔａｎｃｅ  Ｉｎｆｏｒｍａｔｉｏｎメッセージによって当該要求をｅＮＢ２００に通知してもよい。
【００８０】
ＵＥ１００は、受信した無線フレームヘッダをメモリ１５０に記憶し、管理する。具体的には、ＵＥ１００は、ｅＮＢ２００から受信した無線フレームヘッダの値を記憶し、その値から無線フレームヘッダのカウントを開始する。これにより、ＵＥ１００とｅＮＢ２００との無線フレームヘッダが同一の値となる。
【００８１】
ステップＳ１２０において、ｅＮＢ２００は、アイドルモードにおける拡張ＤＲＸサイクルの設定に関する設定情報（Ｃｏｎｆｉｇｕｒａｔｉｏｎ）をＵＥ１００に送信する。具体的には、ｅＮＢ２００は、ページング制御チャネル（ＰＣＣＨ）を拡張したＰＣＣＨの設定情報（ｅＰＣＣＨ設定情報：ｅＰＣＣＨ−Ｃｏｎｆｉｇ）をＵＥ１００に送信する。ｅＰＣＣＨ設定情報は、既存のＰＣＣＨ設定情報（ＰＣＣＨ−Ｃｏｎｆｉｇ）とは異なる情報要素である。
【００８２】
図８に示すように、ｅＰＣＣＨ設定情報は、ｅＮＢ２００において、ページングメッセージを通知するためのＰＤＣＣＨを送信する周期を示すページングサイクル（ＰａｇｉｎｇＣｙｃｌｅ）を含む。ｅＰＣＣＨ設定情報に含まれるページングサイクルは、既存の範囲よりも大きい値であってもよい。例えば、図８に示すように、ページングサイクルの最大値は、８６４０５１２［無線フレーム］である。なお、ｅＰＣＣＨ設定情報は、無線フレームヘッダを含んでもよい（図８の下図参照）。
【００８３】
なお、ｅＮＢ２００は、アイドルモードにおける拡張ＤＲＸサイクルの設定に関する設定情報として、ＰＣＣＨ設定情報をブロードキャスト（ＳＩＢ２）で送信してもよい。この場合、ページングサイクルの値域が拡張されており、既存のページングサイクルよりも大きい値を設定できる。
【００８４】
ＵＥ１００は、ｅＰＣＣＨ設定情報をｅＮＢ２００から受信する。ＵＥ１００は、ｅＰＣＣＨ設定情報に基づいて、ページングサイクルをＤＲＸサイクル（又は既存のＤＲＸサイクルよりも長い拡張ＤＲＸサイクル）として設定する。また、ＵＥ１００は、ＳＦＮとＤＲＸサイクルに加えて、無線フレームヘッダに基づいて、ページングフレームを決定する。具体的には、ＵＥ１００は、無線フレームヘッダとＳＦＮとによって規定される拡張ＳＦＮと、ＤＲＸサイクルとに基づいて、ページングフレームを決定する。ＵＥ１００は、上述した式（１）と関連するパラメータとを用いて、ページングフレームを決定する。なお、ＵＥ１００は、関連するパラメータをｅＮＢ２００から取得している。その後、アイドルモードにおいて、ＵＥ１００は、拡張ＤＲＸ動作を実行する。ＵＥ１００は、決定したページングフレームにおいてＰＤＣＣＨを監視する。
【００８５】
なお、ＵＥ１００は、ｅＰＣＣＨ設定情報に基づいて設定を行った場合、既存のＰＣＣＨ設定情報を受信しても無視する。ＵＥ１００は、ＰＣＣＨ設定情報を破棄してもよい。
【００８６】
ステップＳ１３０において、ｅＮＢ２００は、ＵＥ１００と同様に、ページングサイクルをＤＲＸサイクルとして、ページングフレームを決定する。ｅＮＢ２００及びＵＥ１００のそれぞれは、無線フレームヘッダをカウントして管理しているため、拡張ＳＦＮの値が同じになる。従って、ｅＮＢ２００とＵＥ１００とが決定したページングフレームは同じである。
【００８７】
ｅＮＢ２００は、上位ノード（ＭＭＥ３００）からページングを受けた場合、決定されたページングフレームにおいてページングメッセージを通知するためのＰＤＣＣＨを送信する。ＵＥ１００は、決定されたページングフレームにおいてＰＤＣＣＨを監視しているため、ｅＮＢ２００からのページングメッセージを受信できる。
【００８８】
以上のように、既存のＤＲＸサイクルよりも長い拡張ＤＲＸサイクル導入された場合であっても、拡張ＳＦＮを用いることによって、ページングフレームを適切に決定することができる。
【００８９】
［第２実施形態］
次に、第２実施形態について、図９を用いて説明する。図９は、第２実施形態に係る動作を説明するためのシーケンス図である。なお、第１実施形態と同様の部分は、適宜説明を省略する。
【００９０】
第２実施形態では、ＭＭＥ３００が、アイドルモードにおける拡張ＤＲＸサイクルの設定に関する設定情報（Ｃｏｎｆｉｇｕｒａｔｉｏｎ）をＵＥ１００に通知する。
【００９１】
図９に示すように、ステップＳ２１０において、ＵＥ１００は、ＭＭＥ３００にＮＡＳメッセージによって自身の識別子（ＵＥＩＤ）を通知する。ここで、ＵＥ１００は、ＭＴＣ専用ＵＥである。或いは、ＵＥ１００は、固定されていたり、局所移動しか行わない低モビリティ性（Ｌｏｗ  Ｍｏｂｉｌｉｔｙ）を有する装置であってもよい。
【００９２】
ステップＳ２２０において、ＭＭＥ３００は、アイドルモードにおける拡張ＤＲＸサイクルの設定に関する設定情報（Ｃｏｎｆｉｇｕｒａｔｉｏｎ）をＵＥ１００に通知する。ＭＭＥ３００は、ＮＡＳメッセージによって設定情報を通知する。
【００９３】
設定情報は、拡張ＤＲＸサイクルを示す情報を含む。また、設定情報は、当該拡張ＤＲＸサイクルに基づくページングフレームを決定するための無線フレームヘッダの値を含む。
【００９４】
ＵＥ１００は、設定情報に従って拡張ＤＲＸの設定を行う。また、ＵＥ１００は、無線フレームヘッダの値からカウントを開始し、無線フレームヘッダを管理する。ＵＥ１００は、第１実施形態と同様に、ページングフレームを決定する。また、ＵＥ１００は、アイドルモードにおいて拡張ＤＲＸ動作を実行する。
【００９５】
ステップＳ２３０において、ＭＭＥ３００は、ＵＥ１００に通知された設定情報と、当該ＵＥ１００を示すＵＥＩＤとを、ｅＮＢ２００に通知する。ＭＭＥ３００は、ＵＥ１００が在圏するセルを管理するｅＮＢ２００が分かる場合には、当該ｅＮＢ２００に設定情報とＵＥＩＤとを通知する。或いは、ＭＭＥ３００は、ＵＥ１００が在圏するセルが属するトラッキングエリアに属する各セルを管理する各ｅＮＢ２００に、設定情報とＵＥＩＤとを通知してもよい。
【００９６】
ここで、設定情報に含まれる無線フレームヘッダは、カウントされ続けている値であり、ＳＦＮがリセットされていた場合は、その回数に応じてカウントされた値である。従って、ｅＮＢ２００に通知した時点での無線フレームヘッダの値とＵＥ１００に通知した時点での無線フレームヘッダの値とが異なる可能性がある。
【００９７】
ｅＮＢ２００は、設定情報とＵＥＩＤとをＭＭＥ３００から受信する。ｅＮＢ２００は、ＵＥＩＤが示すＵＥ１００は、設定情報に含まれる拡張ＤＲＸサイクルが設定され得ると判断する。従って、ｅＮＢ２００は、設定情報に含まれる無線フレームヘッダを用いて、当該ＵＥ１００宛てのページングメッセージを通知するためのページングフレームを決定する。
【００９８】
ステップＳ２４０において、上位ノードからページングを受けたＭＭＥ３００は、ページングをｅＮＢ２００に通知する。ＭＭＥ３００は、ページングメッセージの宛先のＵＥ１００が在圏するセルを管理するｅＮＢ２００が分かる場合には、当該ｅＮＢ２００にページングを通知する。或いは、ＭＭＥ３００は、トラッキングエリアに属する各セルを管理する各ｅＮＢ２００にページングを通知してもよい。
【００９９】
なお、ＭＭＥ３００は、ステップＳ２３０における設定情報及び／又はＵＥＩＤをページングを通知するためのメッセージに含めてもよい。
【０１００】
ステップＳ２５０において、上位ノードであるＭＭＥ３００からページングを受けたｅＮＢ２００は、ページングメッセージの宛先がＭＭＥ３００から受信したＵＥＩＤが示すＵＥ１００と一致するか否かを判定する。ｅＮＢ２００は、ページングメッセージの宛先がＭＭＥ３００から受信したＵＥＩＤが示すＵＥ１００と一致した場合、設定情報に含まれる無線フレームヘッダを用いて決定したページングフレームにおいてページングメッセージを通知する。そうでない場合、ｅＮＢ２００は、通常通りに、ページングメッセージを通知する。
【０１０１】
ＵＥ１００は、ｅＮＢ２００にＭＭＥ３００から通知された無線フレームヘッダを用いて、ページングフレームを決定しているため、同じページングフレームを監視している。従って、ＵＥ１００は、ｅＮＢ２００からのページングメッセージを受信することができる。
【０１０２】
以上のように、ＭＭＥ３００が、アイドルモードにおける拡張ＤＲＸサイクルの設定に関する設定情報をＵＥ１００に通知する場合に、既存のＤＲＸサイクルよりも長い拡張ＤＲＸサイクル導入された場合であっても、ページングフレームを適切に決定することができる。
【０１０３】
［その他の実施形態］
上述した実施形態において、拡張ＤＲＸサイクルが設定された場合、ＵＥ１００は、ＰＤＣＣＨを長期間モニタしないため、ＵＥ１００とｅＮＢ２００とが管理している無線フレームヘッダのずれが発生する可能性がある。
【０１０４】
そこで、無線フレームヘッダのずれの発生を抑制するために、以下の方法を実行することができる。
【０１０５】
第１の方法では、ＵＥ１００は、ｅＮＢ２００がブロードキャストによって送信する無線フレームヘッダの値を受信する。ＵＥ１００は、自身が管理する無線フレームヘッダの値をｅＮＢ２００から受信した無線フレームヘッダの値に更新する。或いは、ＵＥ１００は、自身が管理する無線フレームヘッダの値と、ｅＮＢ２００から受信した無線フレームヘッダの値とが一致していない場合に、自身が管理する無線フレームヘッダの値をｅＮＢ２００から受信した無線フレームヘッダの値に更新してもよい。
【０１０６】
これにより、ＵＥ１００は、アイドルモードである場合であっても、ｅＮＢ２００が送信する無線フレームヘッダの値を受信できるため、電力を大きく消費することなく、無線フレームヘッダを確認することができる。
【０１０７】
第２の方法では、ＵＥ１００は、自身が管理する無線フレームヘッダの値を確認するためのチェック要求をｅＮＢ２００に送信する。チェック要求には、ＵＥ１００が管理している無線フレームヘッダの値を含んでもよい。
【０１０８】
ＵＥ１００は、例えば、無線フレームヘッダが所定値（最大値を越えた値）でゼロにリセットされたことをトリガとして、チェック要求を送ってもよい。ＵＥ１００は、アイドルモードである場合、コネクティッドモードへ移行した後に、ＲＲＣメッセージによってユニキャストでチェック要求を送信する。
【０１０９】
ｅＮＢ２００は、チェック要求の受信に応じて、チェック要求の送信元のＵＥ１００の無線フレームヘッダの値をチェックするための動作を開始する。
【０１１０】
具体的には、ｅＮＢ２００は、チェック要求に含まれる無線フレームヘッダと自身が管理している無線フレームヘッダとが一致しているか否かを確認する。ｅＮＢ２００は、無線フレームヘッダが一致していない場合、チェック要求に対する応答として、自身が管理する無線フレームヘッダの値を含むメッセージをＵＥ１００に送信する。ｅＮＢ２００は、無線フレームヘッダが一致している場合、無線フレームヘッダが正常である旨の応答をＵＥ１００に送信する。或いは、ｅＮＢ２００は、無線フレームヘッダが一致している場合であっても、応答として、自身が管理する無線フレームヘッダの値を含むメッセージをＵＥ１００に送信してもよい。また、チェック要求がＵＥ１００が管理している無線フレームヘッダの値を含まない場合も、ｅＮＢ２００は、自身が管理する無線フレームヘッダの値を含むメッセージをＵＥ１００に送信してもよい。
【０１１１】
ＵＥ１００は、チェック要求に対する応答に、ｅＮＢ２００が管理する無線フレームヘッダの値が含まれる場合、自身が管理する無線フレームヘッダの値を応答に含まれる無線フレームヘッダの値に更新する。或いは、ＵＥ１００は、自身が管理する無線フレームヘッダの値と、応答に含まれる無線フレームヘッダの値とが一致していない場合に、自身が管理する無線フレームヘッダの値を応答に含まれる無線フレームヘッダの値に更新してもよい。また、ＵＥ１００は、無線フレームヘッダが正常である旨の応答をｅＮＢ２００から受信した場合、無線フレームヘッダの管理を引き続き実行する。
【０１１２】
これにより、ｅＮＢ２００がブロードキャストによって無線フレームヘッダの値を送信していない場合であっても、ＵＥ１００は、無線フレームヘッダを確認することができる。
【０１１３】
上述した実施形態では、セルラ通信システムの一例としてＬＴＥシステムを説明したが、ＬＴＥシステムに限定されるものではなく、ＬＴＥシステム以外のシステムに本発明を適用してもよい。
【０１１４】
［相互参照］
日本国特許出願第２０１５−０４１８６５号（２０１５年３月３日）の全内容が参照により本願明細書に組み込まれている。
【産業上の利用可能性】
【０１１５】
本発明は、通信分野において有用である。
【図１】
2016140271.tif 000006
【図２】
2016140271.tif 000007
【図３】
2016140271.tif 000008
【図４】
2016140271.tif 000009
【図５】
2016140271.tif 000010
【図６】
2016140271.tif 000011
【図７】
2016140271.tif 000012
【図８】
2016140271.tif 000013
【図９】
2016140271.tif 000014
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
通信方法であって、
基地局が、システムフレーム番号（ＳＦＮ）が最大値に達した後に最初の値に戻った時に１をインクリメントする拡張システムフレーム番号を特定するための情報を含むシステム情報ブロック（ＳＩＢ）をユーザ端末にブロードキャストするステップと、
前記ユーザ端末が、前記システム情報ブロックを前記基地局から受信するステップと、
前記ユーザ端末が、アイドル状態において、拡張ＤＲＸ（ｅＤＲＸ）によりページングを監視するタイミングを含むページングフレームを決定するために、前記情報により特定された前記拡張システムフレーム番号を用いるステップと、を備える通信方法。
【請求項２】
システムフレーム番号（ＳＦＮ）が最大値に達した後に最初の値に戻った時に１をインクリメントする拡張システムフレーム番号を特定するための情報を含むシステム情報ブロック（ＳＩＢ）をユーザ端末にブロードキャストする処理を実行する制御部を備え、
前記情報により特定される前記拡張システムフレーム番号は、前記システム情報ブロックを受信したユーザ端末が、アイドル状態において、拡張ＤＲＸ（ｅＤＲＸ）によりページングを監視するタイミングを含むページングフレームを決定するために用いられることを特徴とする基地局。
【請求項３】
基地局を制御するためのプロセッサであって、
システムフレーム番号（ＳＦＮ）が最大値に達した後に最初の値に戻った時に１をインクリメントする拡張システムフレーム番号を特定するための情報を含むシステム情報ブロック（ＳＩＢ）をユーザ端末にブロードキャストする処理を実行する処理を実行し、
前記情報により特定される前記拡張システムフレーム番号は、前記システム情報ブロックを受信したユーザ端末が、アイドル状態において、拡張ＤＲＸ（ｅＤＲＸ）によりページングを監視するタイミングを含むページングフレームを決定するために用いられることを特徴とするプロセッサ。
【請求項４】
ユーザ端末であって、
システムフレーム番号（ＳＦＮ）が最大値に達した後に最初の値に戻った時に１をインクリメントする拡張システムフレーム番号を特定するための情報を含むシステム情報ブロック（ＳＩＢ）を基地局から受信する受信部と、
アイドル状態において、拡張ＤＲＸ（ｅＤＲＸ）によりページングを監視するタイミングを含むページングフレームを決定するために、前記情報により特定された前記拡張システムフレーム番号を用いる制御部と、を備えるユーザ端末。
【請求項５】
ユーザ端末を制御するためのプロセッサであって、
システムフレーム番号（ＳＦＮ）が最大値に達した後に最初の値に戻った時に１をインクリメントする拡張システムフレーム番号を特定するための情報を含むシステム情報ブロック（ＳＩＢ）を基地局から受信する処理と、
アイドル状態において、拡張ＤＲＸ（ｅＤＲＸ）によりページングを監視するタイミングを含むページングフレームを決定するために、前記情報により特定された前記拡張システムフレーム番号を用いる処理と、を実行するプロセッサ。
【国際調査報告】
2016140271.tif 000015
2016140271.tif 000016
2016140271.tif 000017
2016140271.tif 000018